(57)【特許請求の範囲】
【請求項１】
端末装置のユニバーサル・シリアル・バスＵＳＢ−Ｃインターフェイスに適応して接続するためＵＳＢ−Ｃプラグと、充電プラグに適応して接続するためのＵＳＢソケットと、イヤホーンプラグに適応して接続するためのイヤホーンジャックと、を備えたアダプターであって、
前記ＵＳＢ−Ｃプラグの第１通信ピンが前記ＵＳＢソケットの第１通信ピンに接続され、前記ＵＳＢ−Ｃプラグの第２通信ピンが前記ＵＳＢソケットの第２通信ピンに接続され、前記ＵＳＢ−Ｃプラグの第１サウンドチャネルピンおよび第２サウンドチャネルピンが前記イヤホーンジャックの右サウンドチャネル信号ピンおよび左サウンドチャネル信号ピンに１対１で接続され、
前記アダプターは、端末装置のＵＳＢ−Ｃインターフェイスに挿入される時に、前記ＵＳＢ−Ｃプラグの前記第１サウンドチャネルピンおよび前記第２サウンドチャネルピンを介して、前記端末装置から送信されたサウンドチャネル信号を受信するとともに、前記ＵＳＢ−Ｃプラグの前記第１通信ピンおよび前記第２通信ピンを介して、前記端末装置に急速充電信号を伝送することに用いられ、
前記アダプターは、ＵＳＢ−Ｃケーブルコントローラをさらに備え、
前記ＵＳＢ−Ｃプラグの電源ピンが、前記ＵＳＢ−Ｃケーブルコントローラの電源抵抗に接続されており、
前記アダプターは、さらに、前記端末装置のＵＳＢ−Ｃインターフェイスに挿入される時に、前記ＵＳＢ−Ｃプラグの電源ピンを介して、前記端末装置におけるＣＣコントローラモジュールの第１ＣＣポート又は第２ＣＣポートから伝送された電源電圧を受け、前記ＵＳＢ−Ｃケーブルコントローラに供給することに用いられる、
アダプター。
【請求項２】
前記アダプターが前記端末装置のＵＳＢ−Ｃインターフェイスに正方向挿入される場合、前記ＵＳＢ−Ｃプラグの第１通信ピン、第２通信ピン、第１サウンドチャネルピン、および第２サウンドチャネルピンが、前記端末装置のＵＳＢ−Ｃインターフェイスの第１のチャネル多重化ピン、第２のチャネル多重化ピン、第３のチャネル多重化ピン、および第４のチャネル多重化ピンに１対１で接続され、
前記アダプターが前記端末装置のＵＳＢ−Ｃインターフェイスに逆方向挿入される場合、前記ＵＳＢ−Ｃプラグの第１サウンドチャネルピン、第２サウンドチャネルピン、第１通信ピン、および第２通信ピンが、前記端末装置のＵＳＢ−Ｃインターフェイスの第１のチャネル多重化ピン、第２のチャネル多重化ピン、第３のチャネル多重化ピン、および第４のチャネル多重化ピンに１対１で接続される、
請求項１に記載のアダプター。
【請求項３】
前記ＵＳＢソケットの第１通信ピンおよび第２通信ピンは、それぞれ２つのピンを含む、
請求項１又は２に記載のアダプター。
【請求項４】
前記ＵＳＢ−Ｃケーブルコントローラは、前記アダプターのタグを、所定の電子マーク
・ケーブル・アセンブリＥＭＣＡとしてマークすることに用いられ、
前記ＵＳＢ−Ｃプラグのチャネル構成ＣＣピンが前記ＵＳＢ−ＣケーブルコントローラのＣＣバスに接続され、前記アダプターは、さらに、前記端末装置のＵＳＢ−Ｃインターフェイスに挿入される時に、前記ＣＣバスおよび前記ＵＳＢ−ＣプラグのＣＣピンを介して前記アダプターのタグを前記端末装置に報告することに用いられる、
請求項３に記載のアダプター。
【請求項５】
前記アダプターが前記端末装置のＵＳＢ−Ｃインターフェイスに正方向挿入される場合、前記ＵＳＢ−Ｃプラグの電源ピンが前記端末装置におけるＣＣコントローラモジュールの第２ＣＣポートに接続され、
前記アダプターが前記端末装置のＵＳＢ−Ｃインターフェイスに逆方向挿入される場合、前記ＵＳＢ−Ｃプラグの電源ピンが前記端末装置におけるＣＣコントローラモジュールの第１ＣＣポートに接続される、
請求項１又は４に記載のアダプター。
【請求項６】
前記ＵＳＢ−Ｃケーブルコントローラのイヤホーン検出ピンが前記イヤホーンジャックのイヤホーン検出ピンに接続され、
前記アダプターは、さらに、前記ＵＳＢ−Ｃケーブルコントローラによって、前記イヤホーンジャックに対する前記イヤホーンプラグの挿入又は抜き状態を検出し、前記ＵＳＢ−ＣケーブルコントローラのＣＣバスを介して前記端末装置のＣＣコントローラモジュールと通信し、イヤホーンの挿入情報又は抜き情報を前記端末装置に伝送することに用いられる、
請求項１に記載のアダプター。
【請求項７】
前記ＵＳＢソケットの第１ＣＣピンおよび第２ＣＣピンは、いずれも遊脚している、
請求項１に記載のアダプター。
【請求項８】
前記ＵＳＢソケットの第１ＣＣピンおよび第２ＣＣピンが前記ＵＳＢ−Ｃケーブルコントローラの第１ＣＣポートおよび第２ＣＣポートに１対１で接続される、
請求項１に記載のアダプター。
【請求項９】
アダプターのユニバーサル・シリアル・バスＵＳＢ−Ｃプラグに適応して接続することに用いられるＵＳＢ−Ｃインターフェイスと、空間分離チャネル切替モジュールと、チャネル構成ＣＣコントローラモジュールと、を備え、
前記ＵＳＢ−Ｃインターフェイスは、４つのチャネル多重化ピンを備え、前記空間分離チャネル切替モジュールは、第１マルチプレクサーおよび第２マルチプレクサーを備え、前記第１マルチプレクサーに第１スイッチが設けられ、前記第２マルチプレクサーに第２スイッチが設けられ、
前記第１マルチプレクサーの第１通信信号ポート、右サウンドチャネル信号ポート、第２通信信号ポート、および左サウンドチャネル信号ポートが前記第２マルチプレクサーの第１通信信号ポート、右サウンドチャネル信号ポート、第２通信信号ポート、および左サウンドチャネル信号ポートに１対１で接続され、
前記第１マルチプレクサーの第１共通ポートと第２共通ポートが前記ＵＳＢ−Ｃインターフェイスの第１のチャネル多重化ピンと第２のチャネル多重化ピンに１対１で接続され、
前記第２マルチプレクサーの第１共通ポートと第２共通ポートが前記ＵＳＢ−Ｃインターフェイスの第３のチャネル多重化ピンと第４のチャネル多重化ピンに１対１で接続され、
前記端末装置は、請求項１から８のいずれか１項に記載のアダプターが前記ＵＳＢ−Ｃインターフェイスに挿入される時に、前記ＵＳＢ−Ｃインターフェイスの前記第１のチャネル多重化ピン、第２のチャネル多重化ピン、第３のチャネル多重化ピン、および第４のチャネル多重化ピンを介して、２つの急速充電信号および２つのサウンドチャネル信号を同時に伝送することに用いられる、
端末装置。
【請求項１０】
前記第１マルチプレクサーに第１スイッチ制御ポートおよび第１共通端制御ポートが設けられ、前記第２マルチプレクサーに第２スイッチ制御ポートおよび第２共通端制御ポートが設けられ、
前記第１スイッチ制御ポートは、前記端末装置のアプリケーション・プロセッサ・モジュールから出力されたスイッチ制御信号に応じて、前記第１スイッチの上投・下投を制御することに用いられ、
前記第２スイッチ制御ポートは、前記端末装置のアプリケーション・プロセッサ・モジュールから出力されたスイッチ制御信号に応じて、前記第２スイッチの上投・下投を制御することに用いられ、
前記第１共通端制御ポートは、前記端末装置のアプリケーション・プロセッサ・モジュールから出力された共通端制御信号に応じて、前記第１マルチプレクサーの２つの共通ポートのオン・オフを制御することに用いられ、
前記第２共通端制御ポートは、前記端末装置のアプリケーション・プロセッサ・モジュールから出力された共通端制御信号に応じて、前記第２マルチプレクサーの２つの共通ポートのオン・オフを制御することに用いられ、
前記第１スイッチおよび前記第２スイッチは、いずれもデュアル単極双投スイッチである、
請求項９に記載の端末装置。
【請求項１１】
前記アダプターが前記ＵＳＢ−Ｃインターフェイスに正方向挿入される場合、前記第１マルチプレクサーの第１スイッチが上投され、前記第２マルチプレクサーの第２スイッチが下投され、前記ＵＳＢ−Ｃインターフェイスの第１のチャネル多重化ピン、第２のチャネル多重化ピン、第３のチャネル多重化ピン、および第４のチャネル多重化ピンは、第１通信信号、第２通信信号、右サウンドチャネル信号、および左サウンドチャネル信号を１対１で伝送し、
前記アダプターが前記ＵＳＢ−Ｃインターフェイスに逆方向挿入される場合、前記第１マルチプレクサーの第１スイッチが下投され、前記第２マルチプレクサーの第２スイッチが上投され、前記ＵＳＢ−Ｃインターフェイスの第１のチャネル多重化ピン、第２のチャネル多重化ピン、第３のチャネル多重化ピン、および第４のチャネル多重化ピンは、右サウンドチャネル信号、左サウンドチャネル信号、第１通信信号、および第２通信信号を１対１で伝送する、
請求項９又は１０に記載の端末装置。
【請求項１２】
前記ＣＣコントローラモジュールは、ＵＳＢデバイスが前記ＵＳＢ−Ｃインターフェイスに挿入される時に、前記ＵＳＢデバイスが請求項１から８のいずれか１項に記載のアダプターであるかどうかを判断することに用いられる、
請求項１１に記載の端末装置。
【請求項１３】
前記アダプターが前記ＵＳＢ−Ｃインターフェイスに正方向挿入される場合、前記ＣＣコントローラモジュールの第２ＣＣポートが前記ＵＳＢ−Ｃプラグの電源ピンに接続され、
前記アダプターが前記ＵＳＢ−Ｃインターフェイスに逆方向挿入される場合、前記ＣＣコントローラモジュールの第１ＣＣポートが前記ＵＳＢ−Ｃプラグの電源ピンに接続される、
請求項９から１２のいずれか１項に記載の端末装置。
【請求項１４】
前記ＣＣコントローラモジュールは、さらに、前記アダプターのＵＳＢ−ＣケーブルコントローラがＣＣバスを介して伝送したイヤホーン插入情報又はイヤホーン抜き情報に応じて、前記イヤホーンプラグに対する前記アダプターにおける前記イヤホーンジャックの挿入又は抜き状態を判断することに用いられる、
請求項９に記載の端末装置。
【請求項１５】
前記端末装置は、さらに、前記ＵＳＢ−Ｃインターフェイスが前記アダプターに挿入され、かつ、前記ＣＣコントローラモジュールの第１ＣＣポート又は第２ＣＣポートが前記アダプターのＵＳＢ−Ｃプラグの電源ピンの電源抵抗を検出した時に、前記ＣＣコントローラモジュールの第１ＣＣポート又は第２ＣＣポートを介して、電源電圧を前記電源ピンに供給することに用いられる、
請求項９に記載の端末装置。
【請求項１６】
請求項１から８のいずれか１項に記載のアダプターと、請求項９から１５のいずれか１項に記載の端末装置と、を備える、
アダプターシステム。
【発明の詳細な説明】
【技術分野】
【０００１】
本開示は、通信技術の分野に関し、例えば、アダプター、端末装置、およびアダプターシステムに関する。
【背景技術】
【０００２】
通信技術の開発に伴い、モバイル端末装置（例えば、スマートフォン）に適用される従来の３．５ミリ秒（ｍｍ）イヤホーンインターフェイスは、タイプＣのユニバーサル・シリアル・バス（Ｕｎｉｖｅｒｓａｌ  Ｓｅｒｉａｌ  Ｂｕｓ、ＵＳＢ）、即ち、ＵＳＢ−Ｃ、Ｔｙｐｅ−Ｃとも呼ばれるインターフェイスにより代替されてくる。しかしながら、１つのＵＳＢ−Ｃで充電インターフェイス、音声およびビデオなどの外部インターフェイスを実現する場合、スマートフォンを充電しながらイヤホーンを使用して、音声およびビデオを再生することができない。
【０００３】
それに対する解決策は、アナログ・イヤホーン・アダプター・プロトコル、ＵＳＢ−Ｃプロトコルの付録Ａに記載されている。図１は、関連技術に係るパッシブアダプターの構造模式図であり、図２は、図１に示すパッシブアダプターの回路模式図である。図１および図２を参照して、端末装置のＵＳＢ−ＣインターフェイスのピンＡ６／Ａ７／Ｂ６／Ｂ７は、イヤホーンの左右サウンドチャネル信号の伝送のみに使用され、ピンＡ４／Ａ９／Ｂ４／Ｂ９に接続された電源ケーブル（ＶＢＵＳ）は、電源信号の伝送に使用される。この充電方式によれば、外部充電電源は、最大で約５００ミリアンペア（ｍＡ）の電流をパッシブアダプターに供給し、充電電力は通常５ワット（ｗ）であり、充電速度が遅く、充電時間が長く、ユーザーエクスペリエンスが低下する。
【発明の概要】
【０００４】
本開示は、アダプターおよび端末装置の信号伝送方式を合理的に設計することにより、アダプターおよび端末装置のＵＳＢ−Ｃインターフェイスが２つの急速充電信号および２つのサウンドチャネル信号を同時伝送できるようにし、イヤホーンを使用しながら端末装置に対する急速充電を実現する、アダプター、端末装置、およびアダプターシステムを提供する。
【０００５】
本開示は、端末装置のユニバーサル・シリアル・バスＵＳＢ−Ｃインターフェイスに適応して接続するようためのＵＳＢ−Ｃプラグと、充電プラグに適応して接続するためのＵＳＢソケットと、イヤホーンプラグに適応して接続するためのイヤホーンジャックと、を備えてもよく、
前記ＵＳＢ−Ｃプラグの第１通信ピンが前記ＵＳＢソケットの第１通信ピンに接続され、前記ＵＳＢ−Ｃプラグの第２通信ピンが前記ＵＳＢソケットの第２通信ピンに接続され、前記ＵＳＢ−Ｃプラグの第１サウンドチャネルピンおよび第２サウンドチャネルピンが、前記イヤホーンジャックの右サウンドチャネル信号ピンおよび左サウンドチャネル信号ピンに１対１で接続され、
端末装置のＵＳＢ−Ｃインターフェイスに挿入される時に、前記ＵＳＢ−Ｃプラグの前記第１サウンドチャネルピンおよび前記第２サウンドチャネルピンを介して前記端末装置から送信されるサウンドチャネル信号を受信するとともに、前記ＵＳＢ−Ｃプラグの前記第１通信ピンおよび前記第２通信ピンを介して前記端末装置に急速充電信号を伝送することに用いられる、
アダプターを提供する。
【０００６】
本開示は、アダプターのユニバーサル・シリアル・バスＵＳＢ−Ｃプラグに適応して接続するためのＵＳＢ−Ｃインターフェイスと、空間分離チャネル切替モジュールと、チャネル構成ＣＣコントローラモジュールと、を備えてもよく、
前記ＵＳＢ−Ｃインターフェイスに４つのチャネル多重化ピンが含まれ、前記空間分離チャネル切替モジュールに第１マルチプレクサーおよび第２マルチプレクサーが含まれ、前記第１マルチプレクサーに第１スイッチが設けられ、前記第２マルチプレクサーに第２スイッチが設けられ、前記第１マルチプレクサーの第１通信信号ポート、右サウンドチャネル信号ポート、第２通信信号ポート、および左サウンドチャネル信号ポートが、前記第２マルチプレクサーの第１通信信号ポート、右サウンドチャネル信号ポート、第２通信信号ポート、および左サウンドチャネル信号ポートに１対１で接続され、前記第１マルチプレクサーの第１共通ポートおよび第２共通ポートが、前記ＵＳＢ−Ｃインターフェイスの第１のチャネル多重化ピンおよび第２のチャネル多重化ピンに１対１で接続され、前記第２マルチプレクサーの第１共通ポートおよび第２共通ポートが、前記ＵＳＢ−Ｃインターフェイスの第３のチャネル多重化ピンおよび第４のチャネル多重化ピンに１対１で接続され、
請求項１から９のいずれか１項に記載のアダプターが前記ＵＳＢ−Ｃインターフェイスに插入される時に、前記ＵＳＢ−Ｃインターフェイスの前記第１のチャネル多重化ピン、第２のチャネル多重化ピン、第３のチャネル多重化ピン、および第４のチャネル多重化ピンを介して、２つの急速充電信号および２つのサウンドチャネル信号を同時に伝送することに用いられる、
端末装置をさらに提供する。
【０００７】
本開示は、上記いずれか１項に記載のアダプターと、上記いずれか１項に記載の端末装置と、を備える、アダプターシステムをさらに提供する。
【０００８】
本開示に係るアダプター、端末装置、およびアダプターシステムによれば、ＵＳＢ−Ｃプラグの通信ピンおよびサウンドチャネルピンを介して２つの急速充電信号および２つのサウンドチャネル信号を端末装置に同時に伝送することで、イヤホーンを使用しながら端末に対する急速充電を実現し、アダプターのユーティリティおよびユーザーエクスペリエンスを向上させる。
【図面の簡単な説明】
【０００９】
【図１】関連技術に係るパッシブアダプターの構造模式図である。
【図２】図１に示すパッシブアダプターの回路模式図である。
【図３】一実施例に係るアダプターの構造模式図である。
【図４】一実施例に係る別のアダプターの構造模式図である。
【図５ａ】一実施例に係る端末側のＵＳＢ−Ｃインターフェイスの構造模式図である。
【図５ｂ】一実施例に係る端末側のＵＳＢ−Ｃインターフェイスのピン定義の模式図である。
【図５ｃ】一実施例に係るアダプター側のＵＳＢ−Ｃプラグのインターフェイスのピン定義模式図である。
【図６】一実施例に係る別のアダプターの構造模式図である。
【図７】一実施例に係る更なるアダプターの構造模式図である。
【図８】一実施例に係る端末装置の構造模式図である。
【図９】一実施例に係る別の端末装置の構造模式図である。
【図１０】一実施例に係る端末装置の動作状態の原理模式図である。
【図１１】一実施例に係る端末装置の別の動作状態の原理模式図である。
【図１２】一実施例に係る端末装置の別の動作状態の原理模式図である。
【図１３】一実施例に係る端末装置の別の動作状態の原理模式図である。
【図１４】一実施例に係るアダプターシステムの構造模式図である。
【発明を実施するための形態】
【００１０】
図面のフローチャートに示されるステップは、１組のコンピュータ実行可能な命令などのコンピュータシステムで実行することができる。また、フローチャートには論理的順序が示されるが、場合によっては、表示又は説明されるステップは、ここで説明されるものとは異なる順序で実行される場合がある。
【００１１】
ユーザーの端末装置の外観に対するより高い要求に対処するために、現在の端末装置は、３．５ｍｍイヤホーンジャックを廃棄したものとされ、端末装置には、ＵＳＢ−Ｃインターフェイスのみが設けられ、ＵＳＢ−Ｃインターフェイスは、比較の小さいであり、ＵＳＢ−Ｃインターフェイスを端末装置と外部装置との通信インターフェイスとする場合、端末装置の外観に対するユーザーの要求を最大限度で満たすことができる。
【００１２】
ＵＳＢ−Ｃプロトコルの付録Ａには、パッシブ３端子アダプターが提供されている。パッシブ３端子アダプターは、「ＵＳＢ  Ｔｙｐｅ−Ｃ  Ｓｐｅｃｉｆｉｃａｔｉｏｎ  Ｒｅｌｅａｓｅ  １．２」の付録Ａの一部に記載の「Ａｕｄｉｏ  Ａｄａｐｔｅｒ  Ａｃｃｅｓｓｏｒｙ  Ｍｏｄｅ」に基づくものである。
【００１３】
図１および図２を参照して、端末装置側のＵＳＢ−Ｃインターフェイスは、左右サウンドチャネル信号およびＵＳＢ  Ｄ＋／Ｄ−信号の選択・切替機能を実行するように構成される時間分割多重チャネル切替モジュールと、信号ＨＰ＿ＭＩＣおよびＨＰ＿ＧＮＤのチャネル切替機能、正逆の挿入および欧米標準のイヤホーン適応を行うように構成される欧米標準イヤホーン（Ｍｉｃｒｏｐｈｏｎｅ、ＭＩＣ）チャネル切替モジュールと、外部装置のカテゴリおよび正逆の挿入の識別機能を実行するように構成されるチャネル構成（Ｃｏｎｆｉｇｕｒａｔｉｏｎ  Ｃｈａｎｎｅｌ、ＣＣ）コントローラと、を備えてもよい。
【００１４】
ＣＣコントローラによって、ピンＣＣ１およびピンＣＣ２がＲａ抵抗値（Ｒａは、８００〜１２００オーム）より小さい抵抗に接続されることを検出する場合、パッシブ・アナログ・イヤホーンアダプターが接続されることを識別することができ、この場合、ＣＣコントローラは、ＵＳＢ−Ｃインターフェイスにパッシブ・アナログ・イヤホーンアダプターが接続されたことを、内部集積回路（Ｉｎｔｅｒ−Ｉｎｔｅｇｒａｔｅｄ  Ｃｉｒｃｕｉｔ、Ｉ２Ｃ）バスを介してアプリケーション・プロセッサ・モジュールに通知する。アプリケーション・プロセッサ・モジュールは、上記チャネル切替モジュールを通路ルートとし、ＵＳＢ−Ｃインターフェイスをパッシブ・アナログ・イヤホーン・モードに設定して、アナログイヤホーン通路をオンにする。
【００１５】
パッシブアダプターは、端末装置側のＵＳＢ−Ｃインターフェイスに適応して接続されるＵＳＢ−Ｃプラグと、充電プラグに適応して接続されるＵＳＢソケットと、をさらに備えてもよい。パッシブアダプターのＵＳＢソケットのピンＣＣ１およびピンＣＣ２は、それぞれおよそ５．６ｋΩの抵抗Ｒｄを介して接地され、この場合、パッシブアダプターは、外部充電源にとってＵＳＢデバイスであり、外部充電源は、最大で５００ｍＡ程度の電流をパッシブアダプターに供給できる。
【００１６】
上記の図１および図２によれば、パッシブアダプターにおいて、イヤホーンの左右サウンドチャネル信号が４つのピンＡ６／Ａ７／Ｂ６／Ｂ７を占め、パッシブアダプター側のＵＳＢ−ＣプラグのピンＡ４／Ａ９／Ｂ４／Ｂ９によって接続される電源ケーブル（ＶＢＵＳ）を介して電源信号が伝送されることがわかる。この充電方式では、５００ｍＡの充電（充電電力は通常５ｗ）しかサポートできず、充電速度が遅く、充電時間が長く、ユーザーエクスペリエンスが低下する。
【００１７】
本実施例における端末装置とは、例えば、スマートフォン、タブレットコンピュータ、又は携帯情報端末（Ｐｅｒｓｏｎａｌ  Ｄｉｇｉｔａｌ  Ａｓｓｉｓｔａｎｔ、ＰＤＡ）などのＵＳＢ−Ｃインターフェイスを備える端末装置であり、対応的に、本実施例におけるアダプターには、上記のＵＳＢ−Ｃインターフェイスに適合されるＵＳＢ−Ｃプラグが設けられてもよい。以下の実施例は互いに組み合わせることができ、一部の実施例では、同じ又は類似の概念又はプロセスについて説明を省略する場合がある。
【００１８】
図３は、本実施例に係るアダプターの構造模式図である。本実施例に係るアダプターは、急速充電しながらイヤホーンの使用を実現することができる。図３に示すように、該アダプターは、端末装置のＵＳＢ−Ｃインターフェイスに適応して接続するためのＵＳＢ−Ｃプラグ３１０と、充電プラグに適応して接続するためのＵＳＢソケット３２０と、イヤホーンプラグに適応して接続するためのイヤホーンジャック３３０と、を備えてもよく、イヤホーンジャックは、３．５ｍｍのイヤホーンジャックであってもよい。
【００１９】
ここで、ＵＳＢ−Ｃプラグ３１０は、通信ピンおよびサウンドチャネルピンを備えてもよく、ＵＳＢソケット３２０は、通信ピンを備えてもよく、ＵＳＢ−Ｃプラグ３１０の第１通信ピン３１１がＵＳＢソケット３２０の第１通信ピン３２１に接続され、ＵＳＢ−Ｃプラグ３１０の第２通信ピン３１２がＵＳＢソケット３２０の第２通信ピン３２２に接続される。ＵＳＢ−Ｃプラグ３１０の第１サウンドチャネルピン３１３がイヤホーンジャック３３０の第１サウンドチャネルピン３３１に接続され、ＵＳＢ−Ｃプラグ３１０の第２サウンドチャネルピン３１４がイヤホーンジャック３３０の第２サウンドチャネルピン３３２に接続され、第１サウンドチャネルピン３３１が右サウンドチャネル信号ピンであり、第２サウンドチャネルピン３３２が左サウンドチャネル信号ピンであってもよい。上記の接続方式により、本実施例に係るアダプターは、端末装置のＵＳＢ−Ｃインターフェイスに挿入される時に、ＵＳＢ−Ｃプラグ３１０の通信ピンおよびサウンドチャネルピンを介して２つの急速充電信号および２つのサウンドチャネル信号を端末装置に同時に伝送することに用いられてもよい。本実施例は、第１通信ピンおよび第２通信ピンを介して急速充電を実行する時に、充電電力は、通常１０ｗよりも大きく、例えば、１２ｗ〜１５ｗの充電電力を使用し、充電速度が大幅に向上し、充電時間が短縮する。また、本実施例のアダプターにおけるＵＳＢソケットは、ＵＳＢ  Ｄ＋／Ｄ−信号を伝送可能なＵＳＢソケットであり、例えば、ＵＳＢソケットの第１通信ピンおよび第２通信ピンを介してＵＳＢ  Ｄ＋／Ｄ−信号を伝送し、該ＵＳＢソケットは、例えば、ＵＳＢ−Ｃソケット、ＵＳＢ−Ａソケット、又はＭｉｒｃｏ  ＵＳＢソケットなどを使用してもよい。
【００２０】
直流（Ｄｉｒｅｃｔ  Ｃｕｒｒｅｎｔ、ＤＣ）直接充電およびＱｕａｌｃｏｍｍ（ＱＣ）急速充電によく使用されるＵＳＢ  Ｄ＋／Ｄ−信号は、本実施例におけるアダプターを介して、端末装置内のＵＳＢ−ＣインターフェイスのＵＳＢ  Ｄ＋／Ｄ−信号に関連するポートに接続でき、充電アダプターおよび端末装置間の充電ハンドシェイク通信を完了することで、Ｑｕａｌｃｏｍｍ（ＱＣ）急速充電、又は他のＵＳＢ  Ｄ＋／Ｄ−信号の急速充電スキーム（例えば、ＤＣ直接充電など）を実現できる。
【００２１】
好ましくは、図４は、本実施例に係る別のアダプターの構造模式図であり、ＵＳＢ−Ｃプラグの第１通信ピン、第２通信ピン、第１サウンドチャネルピン、および第２サウンドチャネルピンがそれぞれピンＡ６、Ａ７、Ｂ６およびＢ７に対応させ、ＵＳＢソケットの第１通信ピンおよび第２通信ピンがそれぞれＵＳＢ＿Ｄ＋信号ピンおよびＵＳＢ＿Ｄ−信号ピンに対応させるようしてもよい。この場合、ＵＳＢ−ＣプラグのピンＡ６がＵＳＢソケットのＵＳＢ＿Ｄ＋信号ピンに接続され、ＵＳＢ−ＣプラグのピンＡ７がＵＳＢソケットのＵＳＢ＿Ｄ−信号ピンに接続され、ＵＳＢ−ＣプラグのピンＢ６がイヤホーンジャックの右サウンドチャネル信号ピンに接続され、ＵＳＢ−ＣプラグのピンＢ７がイヤホーンジャックの左サウンドチャネル信号ピンに接続される。ＵＳＢ−ＣプラグおよびＵＳＢソケットのピンを他の形態に設定してもよい。図４に示すアダプターでは、ＵＳＢ−ＣプラグのピンＡ４／Ａ９／Ｂ４／Ｂ９は、ＵＳＢ電圧ライン（ＶＢＵＳ）を介してＵＳＢソケットのピンＡ４／Ａ９／Ｂ４／Ｂ９に接続され、５００ｍＡの充電を端末装置に供給することに用いられてもよく、ＵＳＢ−ＣプラグのピンＡ１／Ａ１２／Ｂ１／Ｂ１２およびＵＳＢソケットのピンＡ１／Ａ１２／Ｂ１／Ｂ１２は、いずれも接地される。
【００２２】
本実施例は、急速充電のサポートだけでなく、急速充電を実行しながらイヤホーンの使用を実現できるアダプターを設計することを目的とし、現在の主流の急速充電スキームがＤＣ直接受電およびＱｕａｌｃｏｍｍ（ＱＣ）急速充電であるため、この２つの態様では、充電器と端末装置の間はＵＳＢ２．０バスのＤ＋／Ｄ−を介して互いに通信し、ＵＳＢ−Ｃプロトコルの付録Ａに記載のアナログ・イヤホーン・アダプター方法に応じて、図１および図２に示すように、アナログイヤホーンの左右サウンドチャネル信号がＤ＋／Ｄ−通路に伝送され、イヤホーンの左右サウンドチャネル信号およびＵＳＢのＤ＋／Ｄ−信号がＵＳＢ−ＣインターフェイスのＡ６／Ｂ６／Ａ７／Ｂ７ピンに時間分割多重化され、これらの２組の信号は、ＵＳＢ−Ｃ  インターフェイスを同時に通過することができない。左サウンドチャネル（ＨＰ＿Ｌ）信号、右サウンドチャネル（ＨＰ＿Ｒ）信号、ＵＳＢ＿Ｄ＋信号、ＵＳＢ＿Ｄ−信号の４つの信号が、４つのピンＡ６、Ａ７、Ｂ６、Ｂ７を占めることがわかる。本実施例の態様では、上記の各信号はそれぞれ１つのピンを占め、これによって、左右サウンドチャネル信号ＨＰ＿Ｌ／ＨＰ＿ＲおよびＵＳＢ  Ｄ＋／Ｄ−信号を同時に動作させることができ、急速充電しながらイヤホーンの使用を実現できる。
【００２３】
ＵＳＢ−Ｃ標準プロトコルによれば、端末装置側では、ＵＳＢ−ＣインターフェイスのＵＳＢ  Ｄ＋信号がピンＡ６およびピンＢ６で定義され、ＵＳＢ  Ｄ−信号がピンＡ７およびピンＢ７で定義され、アダプター側では、ＵＳＢ−ＣプラグのＵＳＢ  Ｄ＋信号がピンＡ６で定義され、ＵＳＢ  Ｄ−信号がＡ７ピンで定義され、Ｂ６およびＢ７が定義されなく、遊脚している。図５ａは、端末（例えば、携帯電話）に設けられているＵＳＢ−Ｃインターフェイスの構造模式図であり、図５ｂは、ＵＳＢ−Ｃインターフェイスのピン定義模式図であり、図５ｃは、ＵＳＢ−Ｃプラグのピン定義模式図である。図５ｂおよび図５ｃによれば、ＵＳＢ−Ｃプラグが正方向に挿入される場合、ＵＳＢ−ＣプラグのＵＳＢ＿Ｄ＋／Ｄ−信号ピン（即ピンＡ６／Ａ７）がＵＳＢ−ＣインターフェイスのピンＡ６／Ａ７に接触し、ＵＳＢ−Ｃプラグが逆方向に挿入される場合、ＵＳＢ−ＣプラグのＵＳＢ＿Ｄ＋／ＵＳＢ＿Ｄ−信号ピン（即ち、ピンＡ６／Ａ７）がＵＳＢ−ＣインターフェイスのピンＢ６／Ｂ７に接触することがわかる。したがって、ＵＳＢ−Ｃプラグが正方向に挿入される場合、ＵＳＢ−ＣインターフェイスのＵＳＢ＿Ｄ＋／ＵＳＢ＿Ｄ−信号は、ピンＡ６／Ａ７のみを占め、ピンＢ６／Ｂ７が遊脚し、ＵＳＢ−Ｃプラグが逆方向に挿入される場合、ＵＳＢ−ＣインターフェイスのＵＳＢ＿Ｄ＋／ＵＳＢ＿Ｄ−は、ピンＢ６／Ｂ７のみを占め、Ａ６／Ａ７が遊脚している。つまり、ＵＳＢ−Ｃプラグが正方向又は逆方向に挿入される場合、ＵＳＢ−Ｃインターフェイス端の２つのピンが遊脚しているため、ＵＳＢ−Ｃインターフェイスの２つの遊脚ピンは、左右サウンドチャネル信号を伝送することに用いられてもよく、即ち、ＵＳＢ−Ｃプラグが正方向に挿入される場合、ＵＳＢ−Ｃインターフェイスの遊脚ピンＢ６／Ｂ７を使用して左右サウンドチャネル信号を伝送し、ＵＳＢ−Ｃプラグが逆方向に挿入される場合、ＵＳＢ−Ｃインターフェイスの遊脚ピンＡ６／Ａ７を使用して左右サウンドチャネル信号を伝送してもよい。
【００２４】
本実施例は、アダプターのＵＳＢ−Ｃプラグの２つの遊脚ピン（例えば、ピンＢ６およびピンＢ７）は、右サウンドチャネル信号（ＨＰ＿Ｒ）および左サウンドチャネル信号（ＨＰ＿Ｌ）を伝送するピンとして使用されてもよい。つまり、ＵＳＢ−ＣプラグのピンＢ６がイヤホーンジャックの右サウンドチャネル信号ピンに接続され、ＵＳＢ−ＣプラグのピンＢ７がヤホーンジャックの左サウンドチャネル信号ピンに接続される。そして、ＵＳＢ−ＣプラグのピンＡ６およびピンＡ７は、ＵＳＢ＿Ｄ＋信号およびＵＳＢ＿Ｄ−信号を伝送するピンとして使用されてもよい。つまり、ＵＳＢ−ＣプラグのピンＡ６がＵＳＢソケットのＵＳＢ＿Ｄ＋信号ピンに接続され、ＵＳＢ−ＣプラグのピンＡ７がＵＳＢソケットのＵＳＢ＿Ｄ−信号ピンに接続される。このように、アダプターが端末装置のＵＳＢ−Ｃインターフェイスに正方向挿入される場合、ＵＳＢ−ＣインターフェイスのピンＡ６／Ａ７／Ｂ６／Ｂ７は、ＵＳＢ＿Ｄ＋／ＵＳＢ＿Ｄ−／ＨＰ＿Ｒ／ＨＰ＿Ｌ信号を１対１で伝送することができ、アダプターが端末装置のＵＳＢ−Ｃインターフェイスに逆方向挿入される場合、ＵＳＢ−ＣインターフェイスのピンＡ６／Ａ７／Ｂ６／Ｂ７は、ＨＰ＿Ｒ／ＨＰ＿Ｌ／ＵＳＢ＿Ｄ＋／ＵＳＢ＿Ｄ−信号を１対１で伝送することができ、例えば、ＵＳＢ−ＣインターフェイスのピンＡ６／Ａ７／Ｂ６／Ｂ７がＵＳＢ＿Ｄ＋／ＵＳＢ＿Ｄ−／ＨＰ＿Ｒ／ＨＰ＿Ｌ信号を１対１で伝送することができることとは、ＵＳＢ−ＣインターフェイスのピンＡ６がＵＳＢ＿Ｄ＋信号を伝送し、ピンＡ７がＵＳＢ＿Ｄ−信号を伝送し、ピンＢ６がＨＰ＿Ｒ信号を伝送し、こよびピンＢ７がＨＰ＿Ｌ信号を伝送することである。本実施例における「１対１」に関する説明は、すべてここで説明されたものと同じ意味を有する。
【００２５】
端末装置のＵＳＢ−Ｃインターフェイスにおいて、ＵＳＢ−ＣインターフェイスのピンＡ６／Ａ７／Ｂ６／Ｂ７に伝送される信号について、正挿入の信号および逆挿入の信号が占める通路に応じて信号ルートを作り、ＵＳＢ＿Ｄ＋／ＵＳＢ＿Ｄ−／ＨＰ＿Ｒ／ＨＰ＿Ｌ信号をそれぞれ端末装置のハードウェア・システム・モジュールの対応する信号ピンに伝送する、上記のＵＳＢ−Ｃプラグに適合する正逆挿入チャネル切替回路を１組設計してもよい。このようにして、ＵＳＢ  Ｄ＋／Ｄ−信号およびアナログイヤホーン左右通路信号（ＨＰ＿Ｒ／ＨＰ＿Ｌ）の同時伝送を実現でき、つまり、急速充電を実行しながらイヤホーンのユーザーを使用する需要を満たすことができる。
【００２６】
図２、図３および図４を比較すればわかるように、本実施例におけるアダプターは、ＵＳＢ−Ｃケーブルコントローラを備えることに加え、ピンの接続関係に関して、以下の区別がある。（１）ＵＳＢソケットのピンＣＣ１およびＣＣ２（即ち、ピンＡ５およびＢ５）に接続されるＲｄ抵抗を廃棄した。（２）ＵＳＢ−ＣプラグのピンＡ６とＢ６の間、およびＡ７とＢ７の間の短絡を廃棄した。（３）ＵＳＢ−ＣプラグのピンＡ６およびＡ７は、ＵＳＢソケットのＵＳＢ＿Ｄ＋信号ピンおよびＵＳＢ＿Ｄ−信号ピンに直接に接続される。（４）ＵＳＢ−ＣプラグのピンＢ６およびＢ７は、イヤホーンジャックの右サウンドチャネル信号（ＨＰ＿Ｒ）ピンおよび左サウンドチャネル信号（ＨＰ＿Ｌ）ピンに直接に接続される。本実施例は、上記の区別に加え、アダプターのＵＳＢ−Ｃインターフェイス、ＵＳＢソケット、およびイヤホーンジャックの他のピンの接続方式は、図２に示すパッシブアダプターの接続方式と同様であり、ここでは説明を省略する。
【００２７】
充電機能付きのイヤホーンアダプターがイヤホーンおよび急速充電の同時使用をサポートできないという欠点を克服するために、本実施例では、イヤホーンの右左サウンドチャネル信号（ＨＰ＿Ｒ／ＨＰ＿Ｌ）およびＵＳＢ＿Ｄ＋／ＵＳＢ＿Ｄ−がＡ６／Ａ７／Ｂ６／Ｂ７ピンを時間分割多重するという態様を改善し、ＵＳＢチャネルおよびアナログ・イヤホーン・チャネルが空間的に分離され、右左サウンドチャネル信号（ＨＰ＿Ｒ／ＨＰ＿Ｌ）およびＵＳＢ＿Ｄ＋／ＵＳＢ＿Ｄ−信号が端末装置のＵＳＢ−Ｃインターフェイスに同時に伝送されることができる。それにより、急速充電の同時にイヤホーンを使用するというユーザーの要求に対応できる。
【００２８】
本実施例に係るアダプターでは、ＵＳＢ−Ｃプラグが通信ピンおよびサウンドチャネルピンを備えように設定されることで、アダプターのソケットが通信ピンを備えるＵＳＢソケットを使用し、ＵＳＢ−Ｃプラグの第１通信ピンがＵＳＢソケットの第１通信ピンに接続され、ＵＳＢ−Ｃプラグの第２通信ピンがＵＳＢソケットの第２通信ピンに接続され、ＵＳＢ−Ｃプラグの２つのサウンドチャネルピンがイヤホーンジャックの右サウンドチャネル信号ピンおよび左サウンドチャネル信号ピンに１対１で接続される。ＵＳＢ−Ｃプラグの通信ピンおよびサウンドチャネルピンを介して２つの急速充電信号および２つのサウンドチャネル信号を端末装置に同時に伝送することで、イヤホーンを使用しながら端末の急速充電を実現し、アダプターのユーティリティおよびユーザーエクスペリエンスを向上させる。
【００２９】
本実施例では、アダプターのピンの接続設計に基づいて、端末装置には、アダプターに適応するチャネル切替モジュールが設けられ、アダプターが端末装置のＵＳＢ−Ｃインターフェイスに挿入されると、以下の機能が実現される。
【００３０】
アダプターが端末装置のＵＳＢ−Ｃインターフェイスに正方向挿入される場合、ＵＳＢ−Ｃプラグの第１通信ピン（例えば、図４のＡ６）、第２通信ピン（例えば、図４のＡ７）、第１サウンドチャネル信号ピン（例えば、図４のＢ６）、および第２サウンドチャネル信号ピン（例えば、図４のＢ７）が、端末装置のＵＳＢ−Ｃインターフェイスの４つのチャネル多重化ピン（例えば、端末装置におけるＵＳＢインターフェイスのピンＡ６、Ａ７、Ｂ６およびＢ７）に１対１で接続される。
【００３１】
アダプターが端末装置のＵＳＢ−Ｃインターフェイスに逆方向挿入される場合、ＵＳＢ−Ｃプラグの第１サウンドチャネル信号ピン（例えば、図４のＢ６）、第２サウンドチャネル信号ピン（例えば、図４のＢ７）、第１通信ピン（例えば、図４のＡ６）、および第２通信ピン（例えば、図４のＡ７）が、端末装置のＵＳＢ−Ｃインターフェイスの４つのチャネル多重化ピン（例えば、端末装置におけるＵＳＢインターフェイスのピンＢ６、Ｂ７、Ａ６およびＡ７）に１対１で接続される。
【００３２】
つまり、端末装置に設けられたチャネル切替モジュールによれば、アダプターがＵＳＢ−Ｃプラグから入力したＵＳＢ＿Ｄ＋信号、ＵＳＢ＿Ｄ−信号、右サウンドチャネル信号、および左サウンドチャネル信号を、端末装置のＵＳＢ−Ｃインターフェイスの異なるピンに接続し、正方向挿入と逆方向挿入の違いに応じて、上記の信号を端末装置のＵＳＢ−Ｃインターフェイスの異なるピンに接続する、ことを実現できる。
【００３３】
図４に示すように、実施例に係るアダプターでは、ＵＳＢソケットの第１通信ピン（即ち、ＵＳＢ＿Ｄ＋信号ピン）は、ピンＡ６およびＢ６を含んでもよく、ＵＳＢソケットの第２通信ピン（即ち、ＵＳＢ＿Ｄ−信号ピン）は、前記ＵＳＢソケットのピンＡ７およびＢ７を含んでもよい。さらに、ピンＡ６とＢ６の間は短絡してもよく、ピンＡ７とＢ７も、短絡してもよい。本実施例では、ＵＳＢ−Ｃプラグのピンは、以下の方式で設計されることで、アダプターの急速充電機能を実現する。ＵＳＢ−Ｃプラグの第１通信ピンおよび第２通信ピン（例えば、ピンＡ６／Ａ７）の１対１伝送によって、ＵＳＢソケットから入力された２つの急速充電信号（即ち、ＵＳＢ＿Ｄ＋／ＵＳＢ＿Ｄ−信号）が伝送され、つまり、充電ポートであるＵＳＢソケットのピンＡ６およびＢ６と、Ａ７およびＢ７にそれぞれ対応して接続される。正逆挿入のヒットを簡単化するために、Ａ６とＢ６、Ａ７とＢ７を短絡してもよい。したがって、ＵＳＢ＿Ｄ＋／ＵＳＢ＿Ｄ−の急速充電スキームを使用すれば、端末装置の内部デバイスとの物理的な接続を確立できる。
【００３４】
好ましくは、図４に示す実施例に基づいて、図６は、本実施例に係る別のアダプターの構造模式図である。本実施例に係るアダプターは、上記のＵＳＢ−Ｃプラグ、イヤホーンジャック（例えば、３．５ｍｍイヤホーンジャック）、およびＵＳＢソケットに加えて、ＵＳＢ−Ｃケーブルコントローラをさらに備えてもよい。本実施例では、ＵＳＢ−Ｃプラグの電源ピン（図６のピンＢ５参照）がＵＳＢ−Ｃケーブルコントローラの電源抵抗に接続される。上記の接続関係によれば、本実施例に係るアダプターは、さらに、端末装置のＵＳＢ−Ｃインターフェイスに挿入される時に、ＵＳＢ−Ｃケーブルコントローラによって、端末装置におけるＣＣコントローラモジュールの第１ＣＣポート又は第２ＣＣポートから電源ピンに出力された電源電圧（Ｖｃｏｎｎ）を受けることに用いられる。
【００３５】
関連技術におけるアダプターは、動作中に追加の電源を提供する必要がない、即ち、パッシブアダプターであり、本実施例に係るアダプターは、アダプターにおけるＵＳＢ−Ｃケーブルコントローラによって、ＣＣコントローラモジュールが伝送する電源電圧を受け、これによって、該ＵＳＢ−Ｃケーブルコントローラが対応する操作を実行できる。即ち、本実施例に係るアダプターは、アクティブアダプターである。
【００３６】
好ましく、本実施例では、ＵＳＢ−Ｃケーブルコントローラは、アダプターのタグを所定の電子マーク・ケーブル・アセンブリ（Ｅｌｅｃｔｒｏｎｉｃａｌｌｙ  Ｍａｒｋｅｄ  Ｃａｂｌｅ  Ａｓｓｅｍｂｌｙ、ＥＭＣＡ）としてマークするように構成されてもよい。本実施例に係るアダプターでは、ＵＳＢ−ＣプラグのＣＣピン（図６のピンＡ５参照）がＵＳＢ−ＣケーブルコントローラのＣＣバスに接続され、ＵＳＢ−Ｃケーブルコントローラの接続関係に応じて、該アダプターは、さらに、端末装置のＵＳＢ−Ｃインターフェイスに挿入される時に、ＣＣバスを介して、アダプターのタグを端末装置に報告することに用いられる。本実施例に係るアダプターは、端末装置のＵＳＢ−Ｃインターフェイスに挿入された後に、該アダプターのタグを端末装置に報告することができ、例えば、ＣＣバスを介して端末装置のＣＣコントローラモジュールに報告し、端末装置がＣＣコントローラモジュールの第１ＣＣポート又は第２ＣＣポートを介してアダプターにおけるＵＳＢ−Ｃプラグの電源ピン（例えば、図６のピンＢ５）に電源電圧（Ｖｃｏｎｎ）を伝送することで、ＵＳＢ−Ｃケーブルコントローラは対応する操作を実行できる。
【００３７】
本実施例におけるＵＳＢ−Ｃケーブルコントローラのマークは、一般的なＵＳＢ−Ｃパッシブアダプターと区別することに用いられ、本実施例のアダプターは、特別なアクティブケーブル（Ｐｏｗｅｒｅｄ  Ｃａｂｌｅ）であるため、該アダプターに設けられるＵＳＢ−Ｃケーブルコントローラは、アダプターのタグのマーク機能を実行でき、該アダプターを、特別な電子マーク・ケーブル・アセンブリとしてマークする（ＥＭＣＡ、ＥＭＣＡは、ＵＳＢ電源伝送（ＵＳＢ  Ｐｏｗｅｒ  Ｄｅｌｉｖｅｒｙ、ＵＳＢ  ＰＤ）プロトコルの一部であり、ＥＭＣＡは、ＵＳＢ  ＰＤプロトコルの「ＳＯＰ’／ＳＯＰ」Ｃｏｍｍｕｎｉｃａｔｉｏｎ  ｗｉｔｈ  Ｃａｂｌｅ  Ｐｌｕｇｓ」に従い、ＵＳＢ  ＰＤ符号化方式は、バイフェースマーク符号化（Ｂｉ−ｐｈａｓｅ  Ｍａｒｋ  Ｃｏｄｅ、ＢＭＣ）であり、ＵＳＢ  ＰＤプロトコルは、ＣＣピンで伝送され、ＵＳＢ  ＰＤプロトコルにはユーザー定義メッセージ（Ｖｅｎｄｏｒ  Ｄｅｆｉｎｅｄ  Ｍｅｓｓａｇｅｓ、ＶＤＭ）の機能があり、装置端のＩＤ（Ｉｄｅｎｔｉｆｉｃａｔｉｏｎ）が定義されると、アダプターのタグを定義して該アダプターを識別するために使用する）。
【００３８】
アダプターが、端末装置のＵＳＢ−Ｃインターフェイスに正方向挿入される場合、ＵＳＢ−Ｃプラグの電源ピン（例えば、図６のピンＢ５）が端末装置におけるＣＣコントローラモジュールの第２ＣＣポートに接続され、この場合、第１ＣＣポートは遊脚し、第２ＣＣポートを介してＵＳＢ−Ｃプラグの電源ピンに電源電圧を伝送する。アダプターが端末装置のＵＳＢ−Ｃインターフェイスに逆方向挿入される場合、ＵＳＢ−Ｃプラグの電源ピン（例えば、図６のピンＢ５）が端末装置におけるＣＣコントローラモジュールの第１ＣＣポートに接続され、この場合、第２ＣＣポートは遊脚し、第１ＣＣポートを介してＵＳＢ−Ｃプラグの電源ピンに電源電圧を伝送する。
【００３９】
好ましくは、本実施例では、３．５ｍｍイヤホーンの抜挿が端末装置のＣＣコントローラモジュールによって直接検出されることの代わりに、アダプターのＵＳＢ−Ｃケーブルコントローラによって検出されてもよい。実際に、ＵＳＢ−Ｃケーブルコントローラのイヤホーン検出ピン（ＨＰ＿ＤＥＴ）がイヤホーンジャックのイヤホーン検出ピン（ＨＰ＿ＤＥＴ）に接続され、アダプターは、さらに、ＵＳＢ−Ｃケーブルコントローラによって、イヤホーンジャックに対するイヤホーンプラグの抜挿状態を検出し、ＣＣバスを介して端末装置のＣＣコントローラモジュールと通信し、イヤホーンの插入情報又は抜き情報を端末装置に伝送することに用いられる。例えば、３．５ｍｍイヤホーンが插入された後に、ＨＰ＿ＤＥＴ信号は低下し、３．５ｍｍイヤホーンが抜きされた後に、ＨＰ＿ＤＥＴ信号は上昇する。
【００４０】
本実施例では、アダプターのＵＳＢソケットの第１ＣＣピンおよび第２ＣＣピン（例えば、図４および図６のピンＡ５およびＢ５）は、いずれも遊脚していてもよく、それにより、アダプターは、Ｑｕａｌｃｏｍｍ（ＱＣ）急速充電およびＤＣ急速充電のスキームを実行できる。
【００４１】
好ましくは、図７は、本実施例に係る更なるアダプターの構造模式図であり、図７に示すアダプターのＵＳＢソケットの第１ＣＣピン（例えば、図６のピンＡ５）がＵＳＢ−Ｃケーブルコントローラの第１ＣＣポートに接続され、ＵＳＢソケットの第２ＣＣピン（例えば、図６のピンＢ５）がＵＳＢ−Ｃケーブルコントローラの第２ＣＣポートに接続される。このシーンは、アダプター内のＵＳＢ−Ｃケーブルコントローラは、ジュアル・ロール・ポート（Ｄｕａｌ  Ｒｏｌｅ  Ｐｏｒｔ、ＤＲＰ）の機能を有すれば、ＵＳＢ−ＰＤ急速充電機能をサポートできるため、該アダプターは、すべての急速充電プロトコルをサポートするアダプターになることができる。
【００４２】
なお、本実施例に係るアダプターは、完全なスキームだけでなく、互換性設計も完了し、ＵＳＢ−Ｃ標準プロトコルのフレームを満し、ＵＳＢ−Ｃ標準プロトコルに準拠するすべての端末装置および外部装置の接続要求と互換性がある。
【００４３】
上記の実施例に係るアダプターの構造設計に基づいて、本実施例は、端末装置をさらに提供する。図８は、本実施例に係る端末装置の構造模式図である。本実施例に係る端末装置のＵＳＢインターフェイスは、急速充電しながらイヤホーンを使用することに用いられ、該端末装置は、アダプターのＵＳＢ−Ｃプラグに適応して接続されるように構成されるＵＳＢ−Ｃインターフェイスと、空間分離チャネル切替モジュールと、すくなく備えてもよい。
【００４４】
ここで、ＵＳＢ−Ｃインターフェイスは、４つのチャネル多重化ピンを備えてもよい。空間分離チャネル切替モジュールは、第１マルチプレクサーおよび第２マルチプレクサーを備えてもよく、第１マルチプレクサーに第１スイッチが設けられ、第２マルチプレクサーに第２スイッチが設けられ、第１マルチプレクサーの第１通信信号ポート、右サウンドチャネル信号ポート、第２通信信号ポート、および左サウンドチャネル信号ポートは、第２マルチプレクサーの第１通信信号ポート、右サウンドチャネル信号ポート、第２通信信号ポート、および左サウンドチャネル信号ポートに１対１で接続され（上記の接続関係を図示しない）、第１マルチプレクサーの第１共通ポートおよび第２共通ポートは、ＵＳＢ−Ｃインターフェイスの第１のチャネル多重化ピンおよび第２のチャネル多重化ピンに１対１で接続され、第２マルチプレクサーの第１共通ポートおよび第２共通ポートは、ＵＳＢ−Ｃインターフェイスの第３のチャネル多重化ピンおよび第４のチャネル多重化ピンに１対１で接続される。ただし、第１スイッチおよび第２スイッチは、いずれもデュアル単極双投スイッチである。
【００４５】
上記の接続関係によれば、本実施例に係る端末装置は、図３〜図７のいずれか一実施例に示すアダプターは、ＵＳＢ−Ｃインターフェイスに挿入される時に、該ＵＳＢ−Ｃインターフェイスの４つのチャネル多重化ピンを介して２つの急速充電信号および２つのサウンドチャネル信号を同時に伝送することに用いられてもよい。本実施例は、上記の４つのチャネル多重化ピンの任意の２つのピンを介して急速充電することができ、充電電力は通常、１０ｗよりも大きき、例えば、１２ｗ〜１５ｗの充電電力を使用し、充電速度を向上させ、充電時間を短縮させる。
【００４６】
本実施例に係る端末装置は、さらに、アダプターがＵＳＢ−Ｃインターフェイスに挿入され、且つＣＣコントローラモジュールの第１ＣＣポート（図８のＣＣ１）又は第２ＣＣポート（図８のＣＣ２）がアダプターのＵＳＢ−Ｃプラグの電源ピンの電源抵抗を検出した時に、ＣＣコントローラモジュールの第１ＣＣポート又は第２ＣＣポートを介して電源電圧（Ｖｃｏｎｎ）をＵＳＢ−Ｃプラグの電源ピンに伝送することに用いられる。
【００４７】
好ましくは、図９は、本実施例に係る別の端末装置の構造模式図であり、第１マルチプレクサーおよび第２マルチプレクサーがそれぞれＭＵＸ１およびＭＵＸ２に対応し、ＭＵＸ１およびＭＵＸ２の第１通信信号ポート、右サウンドチャネル信号ポート、第２通信信号ポート、および左サウンドチャネル信号ポートがそれぞれポート１、２、３、４に対応するように構成してもよい。これらの４つのポートは、それぞれＵＳＢ＿Ｄ＋、ＨＰ＿Ｒ、ＵＳＢ＿Ｄ−、およびＨＰ＿Ｌ信号を伝送することに用いられる。第１共通ポートおよび第２共通ポートがそれぞれＣＯＭ＋およびＣＯＭ−に対応し、ＵＳＢ−Ｃインターフェイスの第１、第２、第３、および第４のチャネル多重化ピンがそれぞれピンＡ６、Ａ７、Ｂ６、Ｂ７に対応し、ＣＣコントローラモジュールの第１ＣＣポートおよび第２ＣＣポートがそれぞれポートＣＣ１およびＣＣ２に対応するように構成してもよい。ＣＣコントローラモジュールは、ＵＳＢ  ＰＤプロトコルをサポートすることが要求される。
【００４８】
本実施例に係る端末装置では、空間分離チャネル切替モジュールは、イヤホーンの左右サウンドチャネル信号およびＵＳＢ＿Ｄ＋／ＵＳＢ＿Ｄ−信号の通路分離機能を実現し、アダプターの正方向挿入および逆方向挿入に対するチャネル相互適応機能を実現することに用いられる。図２に係る時間分割多重化チャネル切替モジュールには、デュアル単極双投スイッチを備えるマルチプレクサー１（ＭＵＸ１）のみが設けられ、それに基づいて、本実施例の端末装置には、同じ構造のマルチプレクサー２（ＭＵＸ２）が追加され、即ち、ＭＵＸ２にもデュアル単極双投スイッチが設けられる。また、信号接続について、ＵＳＢ−ＣインターフェイスのピンＡ６とＢ６の間、Ａ７とＢ７の間の短絡は廃除され、ＭＵＸ１のポートＣＯＭ＋／ＣＯＭ−がＵＳＢ−ＣインターフェイスのピンＡ６およびＡ７に１対１で接続され、ＭＵＸ２のポートＣＯＭ＋／ＣＯＭ−がＵＳＢ−Ｃ  インターフェイスのピンＢ６およびＢ７に１対１で接続される。２つのマルチプレクサーの同じピン（即ち、図９のポート１、２、３、４）がそれぞれ短絡され（つまり、図９に示されていないが、ＭＵＸ１のポート１とＭＵＸ２のポート１が短絡接続され、ＭＵＸ１のポート２とＭＵＸ２のポート２が短絡接続され、ＭＵＸ１のポート３とＭＵＸ２のポート３が短絡接続され、ＭＵＸ１のポート４とＭＵＸ２のポート４が短絡接続される）、かつ、上記のポート１、２、３、４は、ＵＳＢ＿Ｄ＋、ＨＰ＿Ｒ、ＵＳＢ＿Ｄ−、ＨＰ＿Ｌ信号を１対１で伝送することに用いられる。アダプターが正方向に挿入される場合、ＵＳＢ−ＣインターフェイスのピンＡ６／Ａ７／Ｂ６／Ｂ７は、ＵＳＢ＿Ｄ＋／ＵＳＢ＿Ｄ−／ＨＰ＿Ｒ／ＨＰ＿Ｌ信号を１対１で伝送し、アダプターが逆方向に挿入される場合、ＵＳＢ−ＣインターフェイスのピンＡ６／Ａ７／Ｂ６／Ｂ７は、ＨＰ＿Ｒ／ＨＰ＿Ｌ／ＵＳＢ＿Ｄ＋／ＵＳＢ＿Ｄ−信号を１対１で伝送する。
【００４９】
上記の実施例に対応して、本実施例におけるＣＣコントローラモジュールは、第１ＣＣポートおよび第２ＣＣポートによって検出された状態に応じて、モバイル端末のＵＳＢ−ＣインターフェイスにＵＳＢ−Ｃプラグが挿入されているかどうかを識別し、正方向挿入又は逆方向挿入を判断することができる。また、上記の実施例におけるアダプターは、識別機能を有するため、本実施例に係る端末装置のＵＳＢ−Ｃインターフェイスに挿入された後に、該ＵＳＢ−Ｃインターフェイスに接続されたＣＣコントローラモジュールは、ＣＣバスを介して報告された情報に応じて、外部装置が上記の実施例に係るアダプターであるかどうかを判断し、後続のチャネル切替機能を実行することができる。
【００５０】
本実施例に係る端末装置は、上記の実施例に係るアダプターに適応され、該端末装置に設けられた空間分離チャネル切替モジュールは、２つのマルチプレクサーによって、第１通信信号、第２通信信号、右サウンドチャネル信号、および左サウンドチャネル信号（即ＵＳＢ＿Ｄ＋／ＵＳＢ＿Ｄ−／ＨＰ＿Ｒ／ＨＰ＿Ｌ信号）を空間的に分離され、アダプターがＵＳＢ−Ｃインターフェイスに正方向挿入又は逆方向挿入された後に、ＵＳＢ＿Ｄ＋／ＵＳＢ＿Ｄ−／ＨＰ＿Ｒ／ＨＰ＿Ｌ信号を同時に伝送でき、また、ＵＳＢ−Ｃインターフェイスに設けられたＣＣコントローラモジュールおよびアダプター側のＵＳＢ−Ｃケーブルコントローラの接続方式によれば、外部装置が端末装置のＵＳＢ−Ｃインターフェイスに挿入される時に、外部ＵＳＢデバイスは本実施例に係るアダプターであるかどうかを識別することができる。本実施例は、２つのマルチプレクサーを備えることで、ＵＳＢ＿Ｄ＋／ＵＳＢ＿Ｄ−／ＨＰ＿Ｒ／ＨＰ＿Ｌ信号をＵＳＢ−Ｃインターフェイスで同時に伝送でき、即ち、ＵＳＢ−Ｃインターフェイスの４つのチャネル多重化ピンを介して２つの急速充電信号よび２つのサウンドチャネル信号を同時に伝送し、イヤホーンを使用しながら端末に対する急速充電を実現し、それにより、アダプターのユーティリティおよびユーザーエクスペリエンスを向上させる。
【００５１】
好ましくは、本実施例では、ＣＣコントローラモジュールは、ＵＳＢ−ＣインターフェイスにＵＳＢデバイスが挿入される時に、ＵＳＢデバイスが上記のいずれかの実施例に係るアダプターであるかどうかを判断することに用いられる。本実施例では、図４〜図７に示す実施例に係るアダプターはマーク機能を有するため、ＣＣコントローラモジュールは、ＵＳＢ−ＣインターフェイスにＵＳＢデバイスが挿入されていることを検出すると、該ＵＳＢデバイスが本実施例に係るアダプターであるか他のＵＳＢデバイスであるかを判断することができ、本実施例に係るアダプターであれば、ＣＣバスを介して報告されたマーク情報を受信することができる。
【００５２】
好ましくは、本実施例では、図９に示す端末装置を参照して、第１マルチプレクサー（ＭＵＸ１）には、第１スイッチ制御ポート（例えば、図９のポートＥＮ１）および第１共通端制御ポート（例えば、図９のポートＳＷ１）が設けられ、第２マルチプレクサー（ＭＵＸ２）には、第２スイッチ制御ポート（例えば、図９のポートＥＮ２）および第２共通端制御ポート（例えば、図９のポートＳＷ２）が設けられる。
【００５３】
ここで、第１スイッチ制御ポート（ポートＳＷ１）および第２スイッチ制御ポート（ポートＳＷ２）は、端末装置のアプリケーション・プロセッサ・モジュールから出力されたスイッチ制御信号に応じて、第１スイッチおよび第２スイッチの上投・下投を１対１で制御することに用いられる。
【００５４】
第１共通端制御ポート（ポートＥＮ１）および第２共通端制御ポート（ポートＥＮ２）は、端末装置のアプリケーション・プロセッサ・モジュールから出力された共通端制御信号に応じて、第１マルチプレクサーの２つの共通ポート（即ち、ポートＣＯＭ＋およびＣＯＭ−）、および第２マルチプレクサーの２つの共通ポート（即ち、ポートＣＯＭ＋およびＣＯＭ−）のオン・オフを１対１で制御することに用いられる。
【００５５】
本実施例では、ポートＳＷ１／ＳＷ２／ＥＮ１／ＥＮ２に入力される制御信号は、端末装置のアプリケーション・プロセッサ・モジュールによって制御され、アダプターがＵＳＢ−Ｃインターフェイスに挿入された後に、ＣＣコントローラモジュールに係る外部装置の判断、および正逆の挿入の判断に応じて、対応する制御信号を出力することができる。実際には、ポートＳＷ１／ＳＷ２を介して入力されたスイッチ制御信号によって、第１スイッチ／第２スイッチを制御して上投・下投することで、チャネルを切り替え、ポートＥＮ１／ＥＮ２をかいして入力された共通端制御信号に応じて、ＭＵＸ１／ＭＵＸ２の共通ポート（即ポートＣＯＭ＋／ＣＯＭ−）のオン・オフを制御する。正逆挿入の状態の識別と判断は、端末装置のＣＣコントローラモジュールによって実行される。表１は、ＵＳＢ＿Ｃインターフェイスを備える端末装置の接続状態を識別するための表である。アダプターは、上りポート（Ｎｏ  Ｕｐｓｔｒｅａｍ  Ｆａｃｉｎｇ  Ｐｏｒｔ（ＵＦＰ））を備えない、特別なＰｏｗｅｒｅｄ  Ｃａｂｌｅ／Ｎｏ  ＵＦＰ部品として、表１における番号４および５に示す場合に対応できる。アダプターが挿入されると、端末装置はＣＣコントローラモジュールの第１ＣＣポートおよび第２ＣＣポート（即ち、ポートＣＣ１又はＣＣ２）によってアダプターＵＳＢ−Ｃプラグの電源ピン（図５ｃのピンＢ５）の電源抵抗（Ｒａ）を検出した後、例えば、５Ｖ又は３．３Ｖ（１Ｗ以内）の電源電圧（Ｖｃｏｎｎ）をＵＳＢ−ＣプラグのピンＢ５に出力する。
【００５６】
【表１】
0006875547.tif 000002
【００５７】
本実施例に係る端末装置の動作状態は、上記表１の９つの状況を含み、図１０は、本実施例提に係る端末装置の１つの動作状態の原理模式図であり、図１１は、本実施例に係る端末装置の別の動作状態の原理模式図であり、図１２は、本実施例に係る端末装置の更なる動作状態の原理模式図であり、図１３は、本実施例に係る端末装置の更なる動作状態の原理模式図である。上記の端末装置側のＵＳＢ−Ｃインターフェイスは、本実施例に係るアダプター（特別なＰｏｗｅｒｅｄ  Ｃａｂｌｅ／Ｎｏ  ＵＦＰ  ｃｏｎｎｅｃｔｅｄ）に適応することに加えて、関連技術のＵＳＢ−Ｃの接続との互換性を満たす。表１を参照して、以下の９つの状況がある：Ｎｏｔｈｉｎｇ  ｃｏｎｎｅｃｔｅｄ、ＵＦＰ  ｃｏｎｎｅｃｔｅｄ正・逆挿入、Ｐｏｗｅｒｅｄ  Ｃａｂｌｅ／Ｎｏ  ＵＦＰ  ｃｏｎｎｅｃｔｅｄ正・逆挿入、Ｐｏｗｅｒｅｄ  Ｃａｂｌｅ／ＵＦＰ  ｃｏｎｎｅｃｔｅｄ正・逆挿入、Ｄｅｂｕｇ  Ａｃｃｅｓｓｏｒｙ  Ｍｏｄｅ  ｃｏｎｎｅｃｔｅｄ、Ａｕｄｉｏ  Ａｄａｐｔｅｒ  Ａｃｃｅｓｓｏｒｙ  Ｍｏｄｅ  ｃｏｎｎｅｃｔｅｄ。
【００５８】
ＣＣコントローラモジュールがデフォルトの動作状態（即ち、Ｎｏｔｈｉｎｇ  ｃｏｎｎｅｃｔｅｄ）に識別される場合、空間分離チャネル切替モジュールの２つのマルチプレクサーのスイッチ制御信号は、ポートＳＷ１／ＳＷ２によって２つのスイッチを制御して同時に上投し、ＵＳＢ−ＣインターフェイスのピンＡ６およびＢ６がいずれもＵＳＢ＿Ｄ＋信号に接続され、ピンＡ７およびＢ７がいずれもＵＳＢ＿Ｄ−信号に接続され、チャネル切り替え操作が図１０に示すように実行される。
【００５９】
ＣＣコントローラモジュールによって、Ｐｏｗｅｒｅｄ  Ｃａｂｌｅ／Ｎｏ  ＵＦＰ  ｃｏｎｎｅｃｔｅｄであると識別した場合（即ち、ポートＣＣ１、ＣＣ２の一方のピンはＲａ抵抗であり、他方のピンはＯｐｅｎであることを検出する場合）、端末装置は、正逆挿入の接続状態に応じて、ポートＣＣ１又はＣＣ２を介して５Ｖ又は３．３Ｖの電源電圧をアダプターのＵＳＢ−ＣプラグのピンＢ５に伝送し、ＵＳＢ−Ｃケーブルコントローラの電源を入れ、端末装置のＣＣコントローラモジュールおよびＵＳＢ−Ｃケーブルコントローラは、ＣＣバスハンドシェイクを介して互いに通信し、ケーブルＩＤ識別を行い、そして、ＣＣコントローラモジュールは、識別されたＩＤおよび正逆挿入の接続状態をアプリケーション・プロセッサ・モジュールへ報告する。識別されたＩＤが本実施例に係るアダプターのＩＤである場合、アプリケーション・プロセッサ・モジュールは、正逆挿入の状況に応じて、空間分離チャネル切替モジュールを制御して、図１２および図１３に示すようにチャネル切り替え操作を実行する。
【００６０】
実際には、ＵＳＢ−Ｃインターフェイスにアダプターが正方向挿入される場合、第１マルチプレクサーの第１スイッチが上投され、第２マルチプレクサーの第２スイッチが下投され、ＵＳＢ−Ｃインターフェイスの４つのチャネル多重化ピン（即ち、ピンＡ６、Ａ７、Ｂ６およびＢ７）は、図１２に示すように、第１通信信号、第２通信信号、右サウンドチャネル信号、および左サウンドチャネル信号（即ち、ＵＳＢ＿Ｄ＋、ＵＳＢ＿Ｄ−、ＨＰ＿Ｒ、およびＨＰ＿Ｌ信号）を１対１で伝送する。ＵＳＢ−Ｃインターフェイスにアダプターが逆方向挿入される場合、第１マルチプレクサーの第１スイッチが下投され、第２マルチプレクサーの第２スイッチが上投され、ＵＳＢ−Ｃインターフェイスの４つのチャネル多重化ピン（即ち、ピンＡ６、Ａ７、Ｂ６およびＢ７）は、図１３に示すように、右サウンドチャネル信号、左サウンドチャネル信号、第１通信信号、および第２通信信号（即ち、ＨＰ＿Ｒ、ＨＰ＿Ｌ、ＵＳＢ＿Ｄ＋、およびＵＳＢ＿Ｄ−信号）を１対１で伝送する。識別されたＩＤが本実施例に係るアダプターのＩＤではない場合、アプリケーション・プロセッサ・モジュールは、空間分離チャネル切替モジュールを制御して、図１０に示すようにチャネル切り替え操作を実行する。
【００６１】
アダプターがＵＳＢ−Ｃインターフェイスに挿入されている状態では、ＣＣコントローラモジュールは、ポートＣＣ１又はＣＣ２がＵＳＢ−ＣプラグのピンＢ５の抵抗Ｒａを検出した後に、ＵＳＢ−ＣプラグのピンＢ５に電源電圧を出力することに用いられる。実際には、アダプターがＵＳＢ−Ｃインターフェイスに正方向挿入される場合、ＣＣコントローラモジュールのポートＣＣ２がＵＳＢ−Ｃプラグの電源ピン（即ち、図５ｃのピンＢ５）に接続され、この場合、ＣＣコントローラモジュールは、ポートＣＣ２を介してＵＳＢ−ＣプラグのピンＢ５へ電源電圧を出力する。アダプターがＵＳＢ−Ｃインターフェイスに逆方向挿入される場合、ＣＣコントローラモジュールのポートＣＣ１がＵＳＢ−Ｃプラグの電源ピン（即ち、図５ｃのピンＢ５）に接続され、この場合、ＣＣコントローラモジュールは、ポートＣＣ１を介してＵＳＢ−ＣプラグのピンＢ５へ電源電圧を出力する。
【００６２】
ＣＣコントローラモジュールがＡｕｄｉｏ  Ａｄａｐｔｅｒ  Ａｃｃｅｓｓｏｒｙ  Ｍｏｄｅ  ｃｏｎｎｅｃｔｅｄを識別した場合（即ち、ポートＣＣ１およびＣＣ２は、いずれもＲａより小さい抵抗が検出された場合）、２つのマルチプレクサーのスイッチ制御信号が、ポートＳＷ１／ＳＷ２によって２つのスイッチを制御して同時に下投され、ＵＳＢ−ＣインターフェイスのピンＡ６およびＢ６がいずれもＨＰ＿Ｌ信号に接続され、ピンＡ７およびＢ７がいずれもＨＰ＿Ｒ信号に接続され、チャネル切り替え操作は図１１に示すように実行される。
【００６３】
ＣＣコントローラモジュールによって、Ｄｅｂｕｇ  Ａｃｃｅｓｓｏｒｙ  Ｍｏｄｅ  ｃｏｎｎｅｃｔｅｄであると識別した場合（即ち、ポートＣＣ１およびＣＣ２はいずれもＲｄ抵抗が検出された場合）、２つのマルチプレクサーのスイッチ制御信号がポートＳＷ１／ＳＷ２によって２つのスイッチを制御して同時に上投され、ピンＡ６およびＢ６がいずれもＵＳＢ＿Ｄ＋信号に接続され、ピンＡ７およびＢ７がいずれもＵＳＢ＿Ｄ−信号に接続される。より良い信号品質を得るために、制御信号ＥＮ１、又はＥＮ２によって１つのスイッチのみを使用して、図１０に示すようにチャネル切り替え操作を実行してもよい。
【００６４】
ＣＣコントローラモジュールによって、ＵＦＰ  ｃｏｎｎｅｃｔｅｄ又はＰｏｗｅｒｅｄ  Ｃａｂｌｅ／ＵＦＰ  ｃｏｎｎｅｃｔｅｄであると識別した場合（即ち、ポートＣＣ１又はＣＣ２はＲｄ抵抗が検出された場合）、空間分離チャネル切替モジュールの動作状態も図１０に示すとおり、２つのマルチプレクサーのスイッチ制御信号は、ポートＳＷ１／ＳＷ２によって２つのスイッチを制御して同時に上投され、ピンＡ６およびＢ６がいずれもＵＳＢ＿Ｄ＋信号に接続され、ピンＡ７およびＢ７がいずれもＵＳＢ＿Ｄ−信号に接続される。
【００６５】
好ましくは、上述実施例に係るアダプターに適応するために、本実施例では、ＣＣコントローラモジュールは、アダプターのＵＳＢ−ＣケーブルコントローラがＣＣバスを介して伝送されたイヤホーン插入情報又は抜き情報に応じて、アダプターにおけるイヤホーンジャックにイヤホーンプラグの插入又は抜きの状態を判断することに用いられる。つまり、３．５ｍｍイヤホーン挿抜状態の検出は、イヤホーン挿抜状態がＣＣコントローラモジュールによって直接検出される代わりに、アダプターのＵＳＢ−Ｃケーブルコントローラによって実行される。
【００６６】
本実施例に係る端末装置は、以下の内容を実現することができる。
【００６７】
（１）イヤホーンおよび充電の機能は、端末装置のＵＳＢ−Ｃインターフェイスによって実現されることができる。
【００６８】
（２）急速充電およびイヤホーンは、同時に使用されることができ、物理的に独立な通路を有し、端末装置は、ＵＳＢ−Ｃインターフェイスに本実施例に係るアダプターが挿入されることを検出した場合、急速充電信号ＵＳＢ＿Ｄ＋／ＵＳＢ＿Ｄ−およびアナログイヤホーンの左右サウンドチャネル信号ＨＰ＿Ｒ／ＨＰ＿Ｌは、ＵＳＢ−Ｃインターフェイスに同時に通過できる。
【００６９】
（３）端末装置のＵＳＢ−Ｃインターフェイスは、本実施例に係るアダプターをサポートすることに加えて、例えば、アナログイヤホーン、ＵＳＢデバイス、およびパッシブアダプターなどの、関連技術における異なる外部装置のアクセスをサポートできる。異なる外部装置のインターフェイス・アダプター機能は、空間分離チャネル切替モジュールによって切り替えられ、図１０〜図１３に示すように実現される。
【００７０】
（４）外部装置に対する端末装置の識別は、ＣＣコントローラモジュールによって実行され、該ＣＣコントローラモジュールは、ＵＳＢ  ＰＤ機能をサポートすることが要求される。
【００７１】
上記の実施例に係るアダプターおよび端末装置のＵＳＢ−Ｃインターフェイスに基づいて、本実施例は、アダプターシステムをさらに提供し、図１４は、本実施例に係るアダプターシステムの構造模式図であり、該アダプターシステムは、急速充電しながらイヤホーンを使用する場合に適用され、該アダプターシステムは、上記の図４〜図７のいずれか一実施例におけるアダプターと、図８〜図１３のいずれか一実施例における端末装置と、を備える。
【００７２】
本実施例では、アダプターシステムの動作フローは以下のとおりである。
【００７３】
電源投入の初期状態とは、空間分離チャネル切替モジュールが図１０に示す状態にあることである。スイッチ制御信号は、ポートＳＷ１およびＳＷ２を介してスイッチを同時に制御して上投し、ＵＳＢチャネルをオンにし、信号ポートＵＳＢ＿Ｄ＋は、ＵＳＢ−ＣインターフェイスのピンＡ６とＢ６を同時に接続し、信号ポートＵＳＢ＿Ｄ−は、ＵＳＢ−ＣインターフェイスのピンＡ７とＢ７を同時に接続し、ＣＣコントローラモジュールのポートＣＣ１およびＣＣ２は、ＵＳＢ−ＣインターフェイスにおけるピンＡ５およびＢ５の電圧を検出する。
【００７４】
ステップ１では、アダプターが端末装置のＵＳＢ−Ｃインターフェイスに挿入され、アダプターのＵＳＢ−ＣプラグのピンＢ５に接続された電源抵抗Ｒａは、ＵＳＢ−ＣインターフェイスのピンＡ５又はＢ５を介して端末装置のＣＣコントローラモジュールのポートＣＣ１又はＣＣ２に接続される。ＣＣコントローラモジュールに接続されたポートＣＣ１およびＣＣ２のうちの1つは、電圧変化を検出し、かつ、電圧値がＲａに対応することを検出し、端末装置のＵＳＢ−Ｃインターフェイスは、Ｐｏｗｅｒｅｄ  Ｃａｂｌｅ／Ｎｏ  ＵＦＰ  ｃｏｎｎｅｃｔｅｄの接続状態になる。ポートＣＣ１が遊脚し、ポートＣＣ２がＲａ抵抗を検出すれば、正方向挿入を示す。ポートＣＣ１がＲａ抵抗を検出し、ポートＣＣ２が遊脚していれば、逆方向挿入を示す。表１の番号４、５の状況を参照する。
【００７５】
ステップ２では、ＣＣコントローラモジュールは、識別されたＰｏｗｅｒｅｄ  Ｃａｂｌｅ／Ｎｏ  ＵＦＰ  ｃｏｎｎｅｃｔｅｄ接続状態の情報を、端末装置のアプリケーション・プロセッサ・モジュールへ報告する。アプリケーション・プロセッサ・モジュールは、電源管理モジュールを制御して５Ｖ／３．３Ｖ電圧電源を出力させ、ポートＣＣ１又はＣＣ２を介してアダプターのＵＳＢ−ＣプラグのピンＢ５へ電源電圧を伝送し、即ち、ＵＳＢ−Ｃケーブルコントローラへ電源を供給する。正挿入の場合、ポートＣＣ２がＵＳＢ−Ｃケーブルコントローラに接続され、逆挿入の場合、ポートＣＣ１がＵＳＢ−Ｃケーブルコントローラに接続される。
【００７６】
ステップ３では、端末装置のＣＣコントローラモジュールおよびアダプターは、ＣＣバスによって相互に認証し、例えば、端末装置は、Ｐｏｗｅｒｅｄ  ＣａｂｌｅのＩＤ情報を読み取り、該外部ＵＳＢデバイスが本実施例に係るアダプターであることを識別し、ＣＣバスを介してアダプターのＵＳＢ−Ｃケーブルコントローラに確認情報を送信して、ＩＤおよびサポート機能の確認を行う。アダプターのＵＳＢ−Ｃケーブルコントローラが端末装置から確認情報を受信しない場合、該アダプターは、通常のアクティブケーブルとしてのみ動作する。
【００７７】
ステップ４では、アプリケーション・プロセッサ・モジュールは、図１０と図１３に示すように、空間分離チャネル切替モジュールを制御して、チャネル切り替え操作を実行してもよい。正挿入の場合、信号ポートＵＳＢ＿Ｄ＋、ＵＳＢ＿Ｄ−は、ＵＳＢ−ＣインターフェイスのピンＡ６、Ａ７にそれぞれ接続され、信号ポートＨＰ＿Ｒ、ＨＰ＿Ｌは、ＵＳＢ−ＣインターフェイスピンＢ６、Ｂ７にそれぞれ接続される。逆挿入の場合、信号ポートＵＳＢ＿Ｄ＋、ＵＳＢ＿Ｄ−がそれぞれＵＳＢ−ＣインターフェイスのピンＢ６、Ｂ７に接続され、信号ポートＨＰ＿Ｒ、ＨＰ＿ＬがそれぞれＵＳＢ−ＣインターフェイスピンＡ６、Ａ７に接続される。
【００７８】
ステップ５では、イヤホーン插入検出およびＵＳＢ−Ｃ急速充電通信を実行する。
【００７９】
イヤホーン插入検出とは、ＵＳＢ−Ｃケーブルコントローラがイヤホーン検出ピンＨＰ＿ＤＥＴに接続されたＧＰＩＯによって３．５ｍｍイヤホーンの插入を検出することである。３．５ｍｍイヤホーンが插入されていない場合、ＨＰ＿ＤＥＴに接続されたＧＰＩＯは、プルアップ抵抗に接続されるためＨｉｇｈ状態になる。３．５ｍｍイヤホーンが插入されている場合、ＨＰ＿ＤＥＴに接続されたＧＰＩＯはグランド電位に強制的にプルされ、ＵＳＢ−Ｃケーブルコントローラモジュールは、ＣＣバスを介して端末装置へこの状況を報告し、３．５ｍｍイヤホーンが插入されることを端末装置に通知し、端末装置は、該情報を受信した後、アナログイヤホーン信号がＵＳＢ−Ｃを介して出力されるように、内部の信号制御を行う、ことである。
【００８０】
ＵＳＢ−Ｃ急速充電通信とは、ＵＳＢ＿Ｄ＋／ＵＳＢ＿Ｄ−通路がステップ４で確立されたため、アダプターのＵＳＢソケットにＱＣ急速充電アダプター又はＤＣ直接充電アダプターが挿入された場合、ＵＳＢ＿Ｄ＋／ＵＳＢ＿Ｄ−バスを介して端末装置と通信ハンドシェイクを行い、急速充電の電圧および電流を設定し、急速充電することである。
【００８１】
ステップ６では、３．５ｍｍイヤホーン抜き、およびアダプター抜きを行う。
【００８２】
３．５ｍｍイヤホーン抜きとは、アダプターのＵＳＢ−Ｃケーブルコントローラは、ＨＰ＿ＤＥＴの電位をリアタイムで監視し、ＨＰ＿ＤＥＴピンの電位がＬｏｗからＨｉｇｈになると、３．５ｍｍイヤホーンが抜き出されたと判断し、そして、ＵＳＢ−Ｃケーブルコントローラは、ＣＣバスを介して、３．５ｍｍイヤホーンがすでに抜き出されたことを端末装置へ報知し、端末装置は、音声信号を他の再生チャネル（受話器又はスピーカのチャネルなど）に切り替え、ＵＳＢ−Ｃケーブルコントローラは、ＨＰ＿ＤＥＴピンの変化を連続的に監視することである。
【００８３】
アダプター抜きとは、端末装置のＣＣコントローラモジュールは、ポートＣＣ１とＣＣ２の変化をリアタイムで検出し、２つのポートＣＣ１およびＣＣ２の電圧と電流の変化に応じて、アダプター抜きを判断することである。端末装置は、アダプターが抜き出されたことを認識した場合、Ｖｃｏｎｎ電源通路を閉じ、空間分離チャネル切替モジュールを通常のＵＳＢ２．０モードに設定し、即ち、図１０に示すように、イヤホーン通路を切断し、２つのスイッチは、両方ともＵＳＢ＿Ｄ＋／ＵＳＢ＿Ｄ−信号に接続される。端末装置のＣＣコントローラモジュールは、２つのポートＣＣを連続的に監視し、端末装置は、電源投入の初期状態に戻る。
【００８４】
本実施例に係るアダプターシステムは、端末装置およびアダプターを備え、端末装置およびアダプター間の相互作用信号、端末装置とアダプター間のアナログイヤホーンの左右サウンドチャネル信号、およびＵＳＢ＿Ｄ＋／ＵＳＢ＿Ｄ−信号は、それぞれ独立したチャネルを有し、端末装置とアダプターの間でＵＳＢ−Ｃインターフェイスを介して同時に伝送される。該アダプターシステムの主な機能は以下の内容を含んでもよい。
【００８５】
（１）左右サウンドチャネル信号ＨＰ＿Ｒ／ＨＰ＿Ｌおよび急速充電信号ＵＳＢ＿Ｄ＋／ＵＳＢ＿Ｄ−は、端末装置とアダプターの間でＵＳＢ−Ｃインターフェイスを介して同時に伝送される。同時に、伝送された左右サウンドチャネル信号ＨＰ＿Ｒ／ＨＰ＿Ｌおよび急速充電信号ＵＳＢ＿Ｄ＋／ＵＳＢ＿Ｄ−は、ＵＳＢ−ＣインターフェイスおよびＵＳＢ−ＣプラグのＡ６／Ａ７／Ｂ６／Ｂ７ピンを使用する。
【００８６】
（２）アダプターシステムは、以下のように、アダプター側のＵＳＢ−Ｃプラグで信号定義機能を完成する。アダプター側のＵＳＢ＿Ｄ＋／ＵＳＢ＿Ｄ−信号は、ＵＳＢ−ＣプラグのＡ６／Ａ７ピンで定義され、アナログイヤホーンの左右サウンドチャネル信号ＨＰ＿Ｒ／ＨＰ＿Ｌは、ＵＳＢ−ＣプラグのＢ６／Ｂ７ピンで定義される。
【００８７】
（３）アダプターシステムは、以下のように、端末装置側のＵＳＢ−Ｃインターフェイスで信号の正逆挿入相互適応アダプター機能を完成する。アダプターのＵＳＢ−Ｃプラグが挿入端末装置のＵＳＢ−Ｃインターフェイスに正方向挿入される場合、ＵＳＢ−ＣインターフェイスのピンＡ６／Ａ７、Ｂ６／Ｂ７は、それぞれＵＳＢ＿Ｄ＋／ＵＳＢ＿Ｄ−、ＨＰ＿Ｒ／ＨＰ＿Ｌ信号を伝送し、アダプターのＵＳＢ−Ｃプラグが端末装置のＵＳＢ−Ｃインターフェイスに逆方向挿入される場合、ＵＳＢ−ＣインターフェイスのピンＡ６／Ａ７、Ｂ６／Ｂ７は、それぞれＨＰ＿Ｒ／ＨＰ＿Ｌ、ＵＳＢ＿Ｄ＋／ＵＳＢ＿Ｄ−信号を伝送する。空間分離チャネル切替モジュールは、ＵＳＢ−Ｃインターフェイスおよび端末装置の内部ハードウェア・システム・モジュール間の正挿入および逆挿入のチャネル相互適応を実行する。
【００８８】
（４）アダプターは、以下のように、マーク機能を有する。ＵＳＢ−Ｃケーブルコントローラによって、特別なＥＭＣＡ電子マーク・ケーブル・アセンブリとしてマークされる。
【００８９】
本実施例によって提供される上記の技術案に基づいて、他の製品の侵害挙動を判断する場合、単純なリバースエンジニアリング分析によって取得してもよいし、サプライヤーとの通信によって情報を取得してもよいし、また、イヤホーンの動作中にＵＳＢ−Ｃインターフェイスのピン信号波形を監視して判断してもよい。ＵＳＢポート信号が動作している時に、Ａ６／Ａ７／Ｂ６／Ｂ７ピンに異なる信号波形が同時に存在するかどうかを判断し、同時に、端末装置のＵＳＢ−Ｃインターフェイスの付近に同じタイプの２つのデュアル単極双投スイッチチップがあるかどうかを確認し、これらの２ポイントによれば、回路構造を逆に推定することができる。
【００９０】
本実施例は、ＵＳＢ−ＣインターフェイスのＡｌｌ  ｉｎ  ＯＮＥ（即ち、イヤホーンや充電などの機能は、１つのＵＳＢ−Ｃインターフェイスのみを介して実現される）中に、端末装置が急速充電しながらアナログイヤホーンを使用できないという技術的問題を解決し、ユーザーエクスペリエンスを改善し、製品の競争力を向上させる。
【産業上の利用可能性】
【００９１】
本開示は、アダプター、端末装置、およびアダプターシステムを提供し、アダプターおよび端末装置のＵＳＢ−Ｃインターフェイスは、急速充電信号およびサウンドチャネル信号を同時に送信することができ、イヤホーンを使用しながら端末装置の急速充電を実現する。
【図１】
0006875547.tif 000003
【図２】
0006875547.tif 000004
【図３】
0006875547.tif 000005
【図４】
0006875547.tif 000006
【図５ａ】
0006875547.tif 000007
【図５ｂ】
0006875547.tif 000008
【図５ｃ】
0006875547.tif 000009
【図６】
0006875547.tif 000010
【図７】
0006875547.tif 000011
【図８】
0006875547.tif 000012
【図９】
0006875547.tif 000013
【図１０】
0006875547.tif 000014
【図１１】
0006875547.tif 000015
【図１２】
0006875547.tif 000016
【図１３】
0006875547.tif 000017
【図１４】
0006875547.tif 000018